(57)【要約】      （修正有）【課題】仕掛け投入装置において、釣糸等の絡みを防止しつつ、簡便な長さ調節と取付け位置の左右選択、及び、持ち運びの便利さを提供する。【解決手段】この調節式仕掛け投入装置は、上台２と下台３を一本のボルト５で容易に着脱でき、下台３に長さ調節の取付け穴６があり、設置位置が左右選べる。また、上台２と下台３を組み合わせる。さらに、釣り上げた魚が暴れた際にハリスや幹糸の絡みを事前に防止するため当該装置の筒９と筒の間に切込みを入れて、そこにそれぞれのハリスを引っ掛ける。また、餌の鮮度を保ちつつ、投入時には海水も一緒に流れ出させて、筒９の中の餌のすべりを良くするため筒９に餌と一緒に海水を入れる。【選択図】図１
0003145737.tif 000002
【実用新案登録請求の範囲】
【請求項１】
船べりに取り付ける際に筒状の投入装置とロット・キーパーの間隔を調節できる仕掛け投入装置。
【請求項２】
請求項１に記載した装置をロット・キーパーと船べりの間に挟み込み、ロット・キーパーのねじを利用して固定する際、状況に応じて、当該装置の右側あるいは左側を任意に選ぶことができる調節式仕掛け投入装置。
【請求項３】
取り付け台が上台（２）及び下台（３）により構成されているので、使用しないときは組み合わせてコンパクトに筒固定板（７）内に収納できる調節式仕掛け投入装置。
【請求項４】
筒（９）と筒の間に切込み（１０）を入れ、当該切込み（１０）にハリス（１７）をはさみ、幹糸（１１）とハリス（１７）の絡みを防止することができることを特徴とした請求項１に記載の調節式仕掛け投入装置。
【請求項５】
筒（９）の中に海水（１８）を入れ、針につけた生餌を入れることで、鮮度を保ちつつ、その状態から海水ごと生餌を海に投入すれば、生餌のすべりが良い請求項１に記載した調節式仕掛け投入装置。
【考案の詳細な説明】
【技術分野】
【０００１】  本考案は釣りの仕掛け投入装置に関する。
【背景技術】
【０００２】  従来の筒状の釣りの仕掛け投入器は、投入器とロット・キーパーを一緒に船べりに固定するタイプ、又は、分離して各々固定するタイプ等があった。
【特許文献１】特開平１０−１７４５４２号公報
【考案の開示】
【考案が解決しようとする課題】
【０００３】  しかしながら、従来の仕掛け投入器は、使用時に固定方法が様々で、大型で持ち運びにも不便であった。
【課題を解決するための手段】
【０００４】  本考案は、筒状の仕掛け投入装置をロット・キーパーを利用して船べりに固定する。その際、「上台」と「下台」によって構成される取り付け台により、左右どちら側にでも任意に設置でき、その長さも調節できる。
なお、使用しないときは、取付け台を組み合わせて筒固定板内にコンパクトに格納できるため、持ち運びが容易になる。
これらにより、前記課題を解決するものである。
【考案の効果】
【０００５】  本考案に係る仕掛け投入装置は、調節式の取付け台をつけることにより、取付け位置の左右を選ぶことができ、また長さ調節ができるため、設置場所への対応が容易になった。
さらに、使用しないときは取付け台を組み合わせて収納できるため、コンパクトで持ち運びにも便利になった。
【考案を実施するための最良の形態】
【０００６】  図１に示すように、下台（３）が左右にスライドし、釣り糸が絡まないように、当該装置とロット・キーパーを含む釣竿一式（１３）との距離を決める。そして、下台（３）を数ｃｍ刻みで長さを調節し、一本のボルト（５）を上台（２）と下台（３）の取付け穴（６）に差し込み、蝶ナット（４）で締めて固定する。
次に、船べり（１）に当該装置を固定するため、船べり（１）とロット・キーパーを含む釣竿一式（１３）の間に下台（３）を挟んで、ロット・キーパーのネジを利用して締めて固定する。
当該装置は、筒（９）の下に筒キャップ（１６）をつけ、筒（９）を並列にし、それに筒固定板（７）を取り付けて一体化とし、筒固定板（７）と上台（２）の幅端に丁番（８）を取り付けることによって折りたたむことができ、針（１２）を筒（９）に入れる際に、筒（９）を立てることにより、針（１２）を楽に入れることができる。
また、使用しないときは、下台（３）を上台（２）の中に格納できるので、持ち運びが容易になる。【０００７】  図２に示すように、これは図１の上台（２）と下台（３）の組み合わせ及び取付け部分の拡大斜視図である。下台（３）は、スライドさせることができ、数ｃｍごとに取付け穴（６）が設けてある。【０００８】  図３に示すように、釣った魚が暴れて、ハリス（１７）や幹糸（１１）の絡まりを防ぐため、筒（９）の間に切込み（１０）を入れ、絡み防止を可能にしたことを特徴とする。（筒全体を上向きにして、切込み（１０）にハリス（１７）を引っ掛ける。）【０００９】  図４に示すように、筒全体を立て、筒（９）の中に海水（１８）を筒の深さの半分くらい入れ、その中に針につけた生き餌や切り餌を入れる。海水（１８）を入れることで餌の鮮度が保てる。【００１０】  図５に示すように、投入時には最初に筒全体を立て、筒（９）の中に仕掛けを入れ、手動でその筒全体を４５度くらい傾け、錘（１５）を海に投入する。そして、その錘（１５）の沈みに合わせて、筒全体をさらに倒すことにより、仕掛けや餌等がスムーズに海に投入される。
【図面の簡単な説明】
【００１１】
【図１】  本考案に係る調節式仕掛け投入装置の斜視図である。
【図２】  本考案に係る調節式仕掛け投入装置の拡大斜視図である。
【図３】  本考案に係る調節式仕掛け投入装置の正面図（Ａ）である。
【図４】  本考案に係る調節式仕掛け投入装置の背面図（Ｂ）であり、海水が入っている状態を表す。
【図５】  本考案に係る調節式仕掛け投入装置の詳細図である。
【符号の説明】
【００１２】  １    船べり
２    上台
３    下台
４    蝶ナット
５    ボルト
６    取付け穴
７    筒固定板
８    丁番
９    筒
１０    切込み
１１    幹糸
１２    針
１３    ロット・キーパーを含む釣竿一式
１４    道糸
１５    錘
１６    筒キャップ
１７    ハリス
１８    海水
Ａ    正面
Ｂ    背面
【図１】
0003145737.tif 000003
【図２】
0003145737.tif 000004
【図３】
0003145737.tif 000005
【図４】
0003145737.tif 000006
【図５】
0003145737.tif 000007
【手続補正書】
【提出日】平成20年5月10日(2008.5.10)
【手続補正１】
【補正対象書類名】図面
【補正対象項目名】図１
【補正方法】変更
【補正の内容】
【図１】
0003145737.tif 000008
【手続補正書】
【提出日】平成20年7月24日(2008.7.24)
【手続補正１】
【補正対象書類名】実用新案登録請求の範囲
【補正対象項目名】全文
【補正方法】変更
【補正の内容】
【実用新案登録請求の範囲】
【請求項１】
装置の下台（３）が左右にスライドし、釣り糸が絡まないように、当該装置とロット・キーパーを含む釣竿一式（１３）との間隔を決めるために、下台（３）に数ｃｍ刻みに取付け穴（６）を設け、一本のボルト（５）を上台（２）と下台（３）の取り付け穴（６）に差し込み、蝶ナット（４）で締めて固定し、船べり（１）に当該装置を固定するため、船べり（１）とロット・キーパーを含む釣竿一式（１３）の間に下台（３）を挟んで、ロット・キーパーのネジを利用して締めて固定することで調節できる調節式仕掛け投入装置。
【請求項２】
請求項１に記載した当該装置の下台（３）は左右どちらにもスライドさせることができるので、右端か左端をロット・キーパーと船べりとの間に挟み込み、ロット・キーパーのネジを利用して固定し、当該装置の下台（３）を右側か左側に任意に移動ができることを特徴とする請求項１記載の調節式仕掛け投入装置。
【請求項３】
請求項１に記載した当該装置は、取り付け台が上台（２）と下台（３）により構成されているので、使用しない時は上台（２）と下台（３）を筒固定板（７）と同じ長さに重なるように組み合わせることにより、コンパクトに収納できることを特徴とする請求項１記載の調節式仕掛け投入装置。
【請求項４】
請求項１に記載した当該装置は、筒（９）と筒の間に、切り込み（１０）を入れ、筒（９）全体を立てた状態で、釣った魚のハリス（１７）を挟むことで、幹糸（１１）とハリス（１７）の絡みを防止することができることを特徴とする請求項１記載の調節式仕掛け投入装置。
【請求項５】
請求項１に記載した当該装置は、筒（９）の中に海水（１８）を入れ、針につけた生餌を入れることで、鮮度を保ちつつ、その状態から倒しながら、海水ごと生餌を海に投入すれば、生餌のすべりが良くなることを特徴とする請求項１記載の調節式仕掛け投入装置。